(57)【要約】【課題】マイコンの動作モードに応じて、マイコンに供給する電源電圧を低下又は停止させることが可能な電気機器を得る。【解決手段】通常動作モードと、通常動作モードより消費電力が小さい低消費電力モードとを有し、通常動作モードから低消費電力モードに移行する際、制御信号を出力するマイコン５と、制御信号が入力され、所定の時間経過後、前記制御信号を出力する遅延回路６と、遅延回路６から出力された制御信号が入力され、入力された制御信号に基づき、昇圧動作を停止し、マイコン５に供給する電圧を低下又は停止させる電源装置３とを備えたものである。【選択図】図１
2007304909.tif 000002
【特許請求の範囲】
【請求項１】
通常動作モードと、前記通常動作モードより消費電力が小さい低消費電力モードとを有し、前記通常動作モードから前記低消費電力モードに移行する際、制御信号を出力するマイコンと、
前記制御信号が入力され、所定の時間経過後、前記制御信号を出力する遅延回路と、
前記遅延回路から出力された前記制御信号が入力され、入力された前記制御信号に基づき、昇圧動作を停止し、前記マイコンに供給する電圧を低下又は停止させる電源装置と
を備えたことを特徴とする電気機器。
【請求項２】
キー入力操作により制御信号を出力する入力装置と、
前記制御信号が入力され、所定の時間経過後、前記制御信号を出力する遅延回路と、
通常動作モードと、前記通常動作モードより消費電力が小さい低消費電力モードとを有し、前記遅延回路から出力された前記制御信号が入力され、入力された前記制御信号に基づき、前記低消費電力モードから前記通常動作モードに移行するマイコンと、
前記入力装置から出力された前記制御信号が入力され、入力された前記制御信号に基づき、昇圧動作を開始し、前記マイコンに供給する電圧を上昇させる電源装置と
を備えたことを特徴とする電気機器。
【請求項３】
前記電源装置は、所定の電圧の電源が接続され、
前記電源の電圧を昇圧した電圧出力を前記マイコンに供給し、
前記制御信号が入力されると、前記電源の電圧の昇圧動作を停止し、前記電源の電圧を前記マイコンに供給することを特徴とする請求項１記載の電気機器。
【請求項４】
前記電源装置は、前記電源の電圧を昇圧した電圧出力を前記遅延回路に供給し、
前記制御信号が入力されると、前記電源の電圧を前記遅延回路に供給することを特徴とする請求項３記載の電気機器。
【請求項５】
前記電源装置は、所定の電圧の電源が接続され、
前記電源の電圧を前記マイコンに供給し、
前記制御信号が入力されると、前記電源の電圧の昇圧動作を開始し、前記電源の電圧を昇圧した電圧出力を前記マイコンに供給することを特徴とする請求項２記載の電気機器。
【請求項６】
前記電源装置は、前記電源の電圧を前記遅延回路及び前記入力装置に供給し、
前記制御信号が入力されると、前記電源の電圧を昇圧した電圧出力を前記遅延回路及び前記入力装置に供給することを特徴とする請求項５記載の電気機器。
【請求項７】
前記電源装置は、所定の電圧の電源が接続され、
前記電源の電圧を昇圧した電圧出力を前記マイコン及び前記遅延回路に供給し、
前記制御信号が入力されると、前記電源の電圧の昇圧動作を停止し、
前記電源の電圧を前記遅延回路に供給し、前記マイコンへの電圧の供給を停止することを特徴とする請求項１記載の電気機器。
【請求項８】
前記電源装置は、所定の電圧の電源が接続され、
前記電源の電圧を前記遅延回路及び前記入力装置に供給し、
前記制御信号が入力されると、前記電源の電圧の昇圧動作を開始し、
前記電源の電圧を昇圧した電圧出力を前記マイコン、前記遅延回路及び前記入力装置に供給することを特徴とする請求項２記載の電気機器。
【請求項９】
前記電源装置は、所定の電圧の電源が接続され、
前記電源の電圧を昇圧した電圧出力を前記マイコンに供給し、
前記制御信号が入力されると、前記電源の電圧の昇圧動作を停止し、前記マイコンへの電圧の供給を停止することを特徴とする請求項１記載の電気機器。
【請求項１０】
前記遅延回路は、前記所定の電圧の電源が接続され、前記電源の電圧が供給されることを特徴とする請求項９記載の電気機器。
【請求項１１】
前記電源装置は、所定の電圧の電源が接続され、
前記制御信号が入力されると、前記電源の電圧の昇圧動作を開始し、
前記電源の電圧を昇圧した電圧出力を前記マイコンに供給することを特徴とする請求項２記載の電気機器。
【請求項１２】
前記遅延回路及び前記入力装置は、前記所定の電圧の電源が接続され、前記電源の電圧が供給されることを特徴とする請求項１１記載の電気機器。
【請求項１３】
通信電文を出力するマイコンと、
前記マイコンから入力された通信電文を送信し、送信完了後、制御信号を出力する通信モジュールと、
前記通信モジュールから出力された前記制御信号が入力され、所定の時間経過後、前記制御信号を出力する遅延回路と、
前記遅延回路から出力された前記制御信号が入力され、入力された前記制御信号に基づき、昇圧動作を停止し、前記マイコンに供給する電圧を低下させる電源装置と
を備えたことを特徴とする電気機器。
【請求項１４】
通信電文を受信し、前記通信電文を受信したとき、制御信号を出力する通信モジュールと、
前記通信モジュールから出力された前記制御信号が入力され、所定の時間経過後、前記制御信号を出力する遅延回路と、
前記通信モジュールにより受信された通信電文が入力され、通常動作モードと、前記通常動作モードより消費電力が小さい低消費電力モードとを有し、前記遅延回路から出力された前記制御信号が入力され、入力された前記制御信号に基づき、前記低消費電力モードから前記通常動作モードに移行するマイコンと、
前記通信モジュールから出力された前記制御信号が入力され、入力された前記制御信号に基づき、昇圧動作を開始し、前記マイコンに供給する電圧を上昇させる電源装置と
を備えたことを特徴とする電気機器。
【請求項１５】
通信電文を出力するマイコンと、
前記マイコンから入力された通信電文を送信し、前記通信電文の送信に対する通信応答を受信したとき、制御信号を出力する通信モジュールと、
前記通信モジュールから出力された前記制御信号が入力され、所定の時間経過後、前記制御信号を出力する遅延回路と、
前記遅延回路から出力された前記制御信号が入力され、入力された前記制御信号に基づき、昇圧動作を停止し、前記マイコンに供給する電圧を低下させる電源装置と
を備えたことを特徴とする電気機器。
【請求項１６】
通信電文を出力するマイコンと、
前記マイコンから入力された通信電文を送信し、前記通信電文毎に設定された時間経過後、制御信号を出力する通信モジュールと、
前記通信モジュールから出力された前記制御信号が入力され、所定の時間経過後、前記制御信号を出力する遅延回路と、
前記遅延回路から出力された前記制御信号が入力され、入力された前記制御信号に基づき、昇圧動作を停止し、前記マイコンに供給する電圧を低下させる電源装置と
を備えたことを特徴とする電気機器。
【請求項１７】
前記マイコンは、遅延時間を設定する設定信号を前記遅延回路に入力し、
前記遅延回路は、当該遅延回路に入力された前記制御信号を、前記設定信号で設定された遅延時間経過後、出力することを特徴とする請求項１又は２記載の電気機器。
【請求項１８】
所定の電圧の電圧入力信号が入力され、所定の時間経過後、前記電圧入力信号を出力する遅延回路と、
通常動作モードと、前記通常動作モードより消費電力が小さい低消費電力モードとを有し、前記遅延回路から出力された前記電圧入力信号が入力され、入力された前記電圧入力信号に基づき、前記低消費電力モードから前記通常動作モードに移行するマイコンと、
前記電圧入力信号が入力され、入力された前記電圧入力信号に基づき、昇圧動作を開始し、前記マイコンに供給する電圧を上昇させる電源装置と
を備えたことを特徴とする電気機器。
【発明の詳細な説明】
【技術分野】
【０００１】
この発明は、マイコンを備えた電気機器に関し、特に、マイコンの動作モードに応じた電圧の供給に関する。
【背景技術】
【０００２】
従来の電気機器は、例えば「…第１の信号ｅｎａｂｌｅを受けてクロック信号ｃｌｏｃｋ１を発生する発振回路４と、クロック信号ｃｌｏｃｋ１により駆動され電池電源よりも高電圧の昇圧電源Ｖｐｐを発生する電源回路６と、昇圧電源Ｖｐｐにより動作し、クロック信号ｃｌｏｃｋ１により制御され、キー入力に基づく演算処理を行い、この演算処理が終了した後に終了信号ｓｔｏｐを発生する演算回路２とを具備し、終了信号ｓｔｏｐにより発振回路のクロック発生が停止する…」ようなものが提案されている（例えば、特許文献１参照）。
【０００３】
また、近年のマイコンでは、すべてのクロックを停止しても、マイコンへの給電電圧が一定電圧以上であれば、内蔵メモリの内容を保持することが可能であり、また、割り込み信号により、低消費電力モードから通常の動作モードに復帰することができるようなものもある。
【０００４】
【特許文献１】特開平７−２７４２５７号公報（要約、図１）
【発明の開示】
【発明が解決しようとする課題】
【０００５】
従来の電気機器は、低速のクロック信号の供給又はすべてのクロックを停止させることによりマイコンの消費電力を低減させることが可能であるが、マイコンを通常の動作モード（以下、通常動作モードという）から、通常動作モードより消費電力が小さい低消費電力モードに移行させるためには、少なくとも移行する期間は電源電圧を一定の電圧以上に保持し、低消費電力モードから通常動作モードに復帰させるためには、電源電圧を通常動作に必要な電圧に保持した上で、マイコンを通常動作モードに移行させる必要があるため、マイコンの動作モードに応じて、電源電圧を低下又は停止させることができないという問題点があった。
【０００６】
この発明は、上述のような課題を解決するためになされたものであり、低消費電力化のために、マイコンの動作モードに応じて、マイコンに供給する電源電圧を低下又は停止させることが可能な電気機器を得るものである。
【課題を解決するための手段】
【０００７】
この発明に係る電気機器においては、通常動作モードと、通常動作モードより消費電力が小さい低消費電力モードとを有し、通常動作モードから低消費電力モードに移行する際、制御信号を出力するマイコンと、制御信号が入力され、所定の時間経過後、制御信号を出力する遅延回路と、遅延回路から出力された制御信号が入力され、入力された制御信号に基づき、昇圧動作を停止し、マイコンに供給する電圧を低下又は停止させる電源装置とを備えたものである。
【発明の効果】
【０００８】
この発明は、通常動作モードから低消費電力モードに移行する際、制御信号を出力するマイコンと、制御信号が入力され、所定の時間経過後、制御信号を出力する遅延回路と、遅延回路から出力された制御信号が入力され、入力された制御信号に基づき、昇圧動作を停止する電源装置とを備えたことにより、マイコンの動作モードに応じて、マイコンに供給する電圧を低下又は停止させることが可能となる。
【発明を実施するための最良の形態】
【０００９】
実施の形態１．
図１はこの発明の実施の形態１における電気機器の構成図である。図１において、本実施の形態１に係る電気機器は、手動によりキー入力操作され、制御信号であるキー入力信号を出力する入力装置であるキー入力回路１と、キー入力信号が入力され、入力された信号を所定の時間（例えば、約１５ｍｓ）遅延させて出力する遅延回路２と、遅延回路２の出力信号が入力され、後述する動作により制御信号である電源制御信号（昇圧動作停止信号）をポート出力するマイコン５と、マイコン５のポート出力を所定の時間（例えば、約１０ｍｓ）遅延させる遅延回路６と、遅延回路６により出力された信号をラッチ出力し、キー入力回路１のキー入力信号が入力されることによりラッチ解除するラッチ回路４と、ラッチ回路４の出力が入力される電源装置３とを備えている。また、電源装置３は、所定の電圧の電源である電池７の電圧を昇圧する装置であり、電源９は、電源装置３により昇圧された電圧出力と、整流回路８を介して電池７とが並列に接続されている。また、上述した構成機器に供給される電源は、この並列接続された電源９から供給されており、電源装置３による電池７の昇圧動作を停止された場合には、電源９の電圧は、電池７の電圧から整流回路８のドロップ電圧を引いた値の電圧が供給される。このように構成された本実施形態の動作の詳細を次に説明する。
【００１０】
（１）低消費電力モード移行動作
マイコン５が低消費電力モードに移行する際の動作について説明する。
初期化時は、マイコン５の昇圧動作停止信号が出力されていない状態（ポート出力が”０”の状態）である。また、ラッチ回路４はクリア（出力が”０”の状態）されており、キー入力回路１はキー入力操作されていない状態（出力が”０”の状態）であり、電源装置３は、昇圧動作している状態（ラッチ回路４からの入力が”０”で動作）である。マイコン５は、初期化処理を行った後、必要により低消費電力モードに移行し、後述する通常動作モード移行動作が発生するまで、低消費電力モードを維持する。
【００１１】
マイコン５は、低消費電力モードの移行動作を実施する直前に昇圧動作停止信号を出力（ポート出力が”１”の状態）する。遅延回路６は、マイコン５から入力されたこのポート出力の”０”から”１”への変化を約１０ｍｓ経過後、ラッチ回路４に出力する。ラッチ回路４は、遅延回路６からの出力”１”をラッチし、電源装置３に入力する。電源装置３は、ラッチ回路４の出力”１”が入力され、電池７の電圧の昇圧動作を停止する。
【００１２】
これにより、マイコン５がポート出力を変化させてから、約１０ｍｓ経過後に電源装置３の昇圧動作が停止し、電池７からの電源供給に切り替わる。すなわち、昇圧動作が停止するため、電源９の電圧は、電池７の電圧から整流回路８のドロップ電圧を引いた値になる。
【００１３】
このような動作により、マイコン５の電源電圧である電源９は、ポート出力の処理をしてから約１０ｍｓの間、マイコン５が通常動作をするために必要な電圧に保たれているため、マイコン５は低消費電力モードに移行するための動作を実施することが可能になる。
【００１４】
尚、遅延回路６の遅延時間を約１０ｍｓとしたが、本発明はこれに限らず、マイコン５が通常動作モードから、低消費電力モードに移行するために必要な時間以上であれば良い。また、マイコン５が通常動作モードから、低消費電力モードに移行するために必要な最低限の時間とすることで、より低消費電力化を実現することができる。
【００１５】
マイコン５は、この１０ｍｓの間に低消費電力モードに移行し、低消費電力モードに移行した後は、電源電圧が下がった状態でも内部のＲＡＭの状態を保持することが可能であり、マイコン５への割り込み入力により、低消費電力モードから通常動作モードに復帰することが可能になる。
次に低消費電力モードから通常動作モードに復帰する動作について説明する。
【００１６】
（２）通常動作モード移行動作
低消費電力モードから通常動作モードに復帰するためには、マイコン５に対して割り込み信号などが必要になる。この割り込み信号はキー入力回路１の入力操作により発生させる。
【００１７】
まず、通常動作モードに移行させる際は、手動によりキー入力回路１のキー入力操作を行う。キー入力回路１は、キー入力操作されるとキー入力信号”１”をラッチ回路４及び遅延回路２に出力する。ラッチ回路４は、キー入力信号”１”が入力されることによりラッチ解除し、ラッチ回路４の出力が”０”に遷移する。ラッチ回路４の出力が”０”になると電源装置３は昇圧動作を開始し、電源９には電池７の電圧を昇圧した電圧が供給される。一方、キー入力回路１の出力が入力された遅延回路２は、キー入力信号”１”を約１５ｍｓ経過後に、マイコン５に入力する。
【００１８】
このような動作により、電源装置３が昇圧動作を開始してから約１５ｍｓ経過後に、マイコン５にキー入力の割り込みが入力されるため、マイコン５が通常動作モードで動作するために必要な電圧に電源電圧が遷移した後、マイコン５は通常動作モードに移行するための動作を所定の電圧で実施することが可能になる。
【００１９】
尚、上述した遅延回路２の遅延時間を約１５ｍｓとしたが、本発明はこれに限らず、電源装置３の電源電圧が安定するために必要な時間以上であれば良い。また、電源装置３が電源を昇圧して安定した電圧にする最小限の時間に設定することで、より低消費電力化を実現することができる。
【００２０】
実施の形態２．
図２はこの発明の実施の形態２における電気機器の構成図である。上記実施の形態１では、電池７の電圧を電源装置３により昇圧した電源９に、整流回路８を介して電池７を並列接続していたが、本実施の形態２では、図２に示すように、電源装置３は、電池７の電圧を昇圧した電源１０と、電池７の電圧を昇圧した電圧出力を、整流回路８を介して電池７と並列接続した電源９とを出力し、マイコン５は、電源１０により電源供給され、マイコン５以外の構成機器は電源９により電源供給される構成とする。また、マイコン５にはワークメモリの情報を保存する不揮発メモリ（図示せず）を備える。このような構成により、マイコン５からの電源装置３に対する昇圧動作停止信号により、電源１０によるマイコン５への電源供給を完全に停止させる。
【００２１】
このように構成した場合、上記実施の形態１と同様の動作により、マイコン５が低消費電力モードに移行する際に、ポート出力を”１”に制御した場合、一定時間経過後、マイコン５には、電源電圧が全く供給されなくなる。従って、本実施形態では、マイコン５はワークメモリの情報を、一旦電気的に書き換え可能なマイコン５内に存在する不揮発メモリ（図示せず）に書き込んだ後に、ポート出力を”１”に制御する。このような動作を行うことで電源電圧を供給されない場合であっても状態を保持することができる。尚、他の構成機器の動作は上記実施の形態１と同様である。
【００２２】
また、低消費電力モードから復帰する時には、上記実施の形態１と同様の動作により、マイコン５に電源１０から電源供給され、電源が供給されたマイコン５は初期化された後、マイコン５内の不揮発メモリの内容を読み込み、ポート出力を”１”にする前の状態に移行することが可能になる。また、キー入力回路１の出力が、遅延回路２により一定時間経過後、マイコン５に入力されるため、マイコン５がポート出力を”１”にする前の状態に移行した状態になった上で、マイコン５にキー入力信号が入力されるので、キー入力回路１の入力の変化を取りこぼすこともない。
【００２３】
以上のように、電源装置３により電池７の電圧を昇圧した電源１０と、整流回路８を介して電池７を並列接続した電源９とを分離することにより、マイコン５に供給される電源を、完全に遮断することができ、上記実施の形態１よりも、さらに電気機器の低消費電力化を図ることができる。
【００２４】
尚、不揮発メモリをマイコン５内に設けず、不揮発性メモリをマイコン５に外付けした構成としても、電源をマイコン５と共通のものとすることで同様の低消費電力化が実現可能である。
【００２５】
実施の形態３．
図３はこの発明の実施の形態３における電気機器の構成を示す図である。上記実施の形態２では、電源装置３からの出力を２系統に分割し、電源装置３は、電池７の電圧を昇圧した電源１０をマイコン５に供給し、マイコン５以外の回路に、電池７の電圧を昇圧した電源９と整流回路８を介して電池７を並列接続していたが、本実施の形態３では、マイコン５以外の回路が、昇圧を必要としない低電圧で動作するものである場合には、図３に示すように、電源９を、電源装置３で昇圧した電源と並列接続せずに、電池７の電圧そのものを、マイコン５以外の回路に供給する。尚、各構成機器の動作は上記実施の形態１と同様である。
【００２６】
このような構成にすることで、電池７の電圧を昇圧することによる電力ロスを、上記実施の形態２よりもさらに抑制することができ、さらに電気機器の低消費電力化を図ることができる。
【００２７】
実施の形態４．
図４はこの発明の実施の形態４における電気機器の構成を示す図である。図４に示すように、本実施の形態４では、上記実施の形態１の構成に加え、アンテナ１１を介し無線で、他の電気機器１２と通信を行う通信モジュール１３を備えた構成とする。尚、上記実施の形態の形態１で説明した構成機器と同一の機器の動作は同様である。また、他の電気機器１２との通信は無線に限らず、有線により行っても良い。
【００２８】
マイコン５は、通信モジュール１３との間で、他の電気機器１２と通信するための電文の送受信を行う。通信モジュール１３は、マイコン５から送信された電文を変調して、他の電気機器１２にアンテナ１１を介し送信し、また、他の電気機器１２により電文が変調された送信信号を受信し、受信した送信信号を電文に復調する。さらに、通信モジュール１３の制御信号出力は、遅延回路６に接続されており、この制御信号（パルス信号）に基づいて、電源装置３は、遅延回路６及びラッチ回路４を介して電源装置３の昇圧機能を制御する。また、通信モジュール１３の制御信号（パルス信号）出力は、キー入力回路１の出力との論理和により遅延回路２及びラッチ回路４に入力される。このような構成により、当該電気機器と他の電気機器１２との間で電文を送受信する際の動作について次に説明する。
【００２９】
（１）電文送信時の動作
まず、マイコン５が低消費電力モードで、電源装置３は昇圧動作を停止している状態のとき、キー入力操作による通信電文を他の電気機器１２に送信する場合の動作について説明する。
キー入力操作によりキー入力回路１はキー入力信号をラッチ回路４に出力する。キー入力信号が入力されたラッチ回路４は出力をクリアし、電源装置３は、昇圧動作を開始する。一方、マイコン５は、キー入力信号がキー入力回路１に接続された遅延回路２を介して所定の時間経過後入力され、低消費電力モードから通常動作モードに移行する。通常動作モードに移行後、キー入力回路１に入力されたキー入力に応じた通信電文を通信モジュール１３に送信する。マイコン５は、通信電文を通信モジュール１３に送信完了後に、再び低消費電力モードに推移する。通信モジュール１３は、マイコン５から受信した電文をアンテナ１１を介して、他の電気機器１２に送信する。
【００３０】
通信モジュール１３は、他の電気機器１２への電文の送信完了後、遅延回路６に制御信号（パルス信号）を送信する。遅延回路６は所定の時間経過後、パルス信号をラッチ回路４に出力する。ラッチ回路４は、遅延回路６からの出力をラッチし、電源装置３に入力し、電源装置３は、電池７の電圧の昇圧動作を停止する。
【００３１】
以上のように、当該電気機器と他の電気機器１２との通信時以外は電源装置３の昇圧動作を停止することができるため、昇圧動作に伴う電力消費を低減することが可能になる。
【００３２】
尚、マイコン５は、電源装置３の昇圧動作が停止され、電源電圧が低下しても、電池７の電圧で、低消費電力モードでの動作が可能である。
【００３３】
（２）電文受信時の動作
次に、マイコン５が低消費電力モードで、電源装置３は昇圧動作を停止している状態のとき、他の電気機器１２から通信電文を受信した場合の動作について説明する。
通信モジュール１３は、他の電気機器１２から電文を受信すると、遅延回路２及びラッチ回路４に対して、制御信号（パルス信号）を出力する。このパルス信号は、キー入力回路１の出力との論理和により遅延回路２及びラッチ回路４に入力されている。このパルス信号が入力されたラッチ回路４の出力はクリアされ、電源装置３は、電池７の電圧の昇圧動作が開始する。また、遅延回路２に入力されたパルス信号は、所定の時間経過後、マイコン５に入力され、マイコン５は、通常動作モードに移行し、通信モジュール１３から電文を受信する。
【００３４】
通信モジュール１３は、マイコン５によって他の電気機器１２から受信した電文が取り出された後に、遅延回路６に対して、制御信号（パルス信号）を出力する。遅延回路６は所定の時間経過後、パルス信号をラッチ回路４に出力する。ラッチ回路４は、遅延回路６からの出力をラッチし、電源装置３に入力し、電源装置３は、電池７の電圧の昇圧動作を停止する。一方、マイコン５は、この遅延回路６に設定された時間内に、受信した電文の処理を行い、再び、低消費電力モードに移行する。
【００３５】
以上のように、他の電気機器１２からの電文の受信時のみ電源装置３の昇圧動作が行われるため、昇圧動作に伴う電力消費を低減することが可能になる。
【００３６】
実施の形態５．
上記実施の形態４では、遅延回路６により所定の遅延時間が設定されており、通信モジュール１３による他の電気機器１２への通信完了直後から遅延回路６の遅延時間の間、電源装置３の昇圧動作が継続させる動作であったが、本実施の形態５では、通信モジュール１３は、通信モジュール１３から他の電気機器１２に電文を送信し、他の電気機器１２からの電文の受信応答を受信してから遅延回路６に対して、制御信号を送信し、電源装置３の昇圧動作を停止させる。尚、各機器の構成は上記実施の形態４で説明した図４と同様である。
【００３７】
電文送信時、マイコン５は、上述した実施の形態４と同様の動作により、キー入力に応じた通信電文を通信モジュール１３に送信する。通信モジュール１３は、マイコン５から受信した電文をアンテナ１１を介して、他の電気機器１２に送信し、送信完了後、他の電気機器１２からの電文の受信応答を待ち、電文の受信応答を受信してから遅延回路６に対して、制御信号を送信する。また、通信モジュール１３は、電文を送信した他の電気機器１２からの受信応答を要求する電文であるか否かの判断を行い、受信応答を要求する電文であれば、受信応答を受信後に遅延回路６に対して、制御信号を送信する。遅延回路６は上述の動作と同様に、所定の時間経過後、パルス信号をラッチ回路４に出力し、電源装置３は、電池７の電圧の昇圧動作を停止する。マイコン５は、この遅延回路６で設定された時間内に通信モジュール１３との電文のやりとりを行う。
【００３８】
このような動作により、通信モジュール１３による他の電気機器１２への通信完了直後から、他の電気機器１２からの通信応答を受信するまで、電源装置３の昇圧動作を継続させることができる。
【００３９】
尚、通信モジュール１３の電文の判断については、他の電気機器１２が応答電文を生成し、その電文を送信し、通信モジュール１３が受信するために必要な時間を予めテーブル値として準備し、電気機器から電文の送信後、他の電気機器１２から応答電文を受信すると推測される時間が経過した後に、遅延回路６に対して制御信号を出力することにより、遅延時間を削減することも可能である。また、遅延回路６で実施している遅延時間の生成機能は通信モジュール１３内に保持していても構わない。
【００４０】
実施の形態６．
図５はこの発明の実施の形態６における電気機器の構成を示す図である。上記実施の形態１では、遅延回路２及び遅延回路６の遅延時間は所定の時間を設定していたが、本実施の形態６では、図５に示すように、マイコン５から遅延時間を設定する設定信号を遅延回路２及び遅延回路６に入力し、遅延回路２及び遅延回路６は、入力された設定信号に基づき遅延時間の設定を可変可能な構成とする。尚、その他の構成及び動作は上記実施の形態１と同様である。
【００４１】
このように、遅延時間を最短の時間に設定することにより、電源が所定の電圧になっている時間をフレキシブルに狭めることができ、さらなる低消費電力化を実現することができる。
【００４２】
実施の形態７．
図６はこの発明の実施の形態７における電気機器の構成を示す図である。上記実施の形態１〜６では、キー入力回路１を用いたキー入力操作により、マイコン５を低消費電力モードから通常動作モードに移行させたが、本実施の形態６では、図６に示すように、キー入力回路１のキー入力信号に換え、電圧を印加できる装置による所定の電圧の電圧入力信号１４を入力する構成とする。尚、図６は上記実施の形態３での構成を電圧入力信号１４による入力に換えた場合を示すが、上述した他の実施の形態においても同様に、キー入力回路１のキー入力信号に換え電圧入力信号１４とする構成としても良い。また、その他の構成機器及びその動作は上述した他の実施の形態と同様である。
【００４３】
このように、上記実施の形態１〜７の効果に加え、キー入力回路１を設けることなく、マイコン５を低消費電力モードから通常動作モードに移行することができる。
【図面の簡単な説明】
【００４４】
【図１】この発明の実施の形態１における電気機器の構成を示す図である。
【図２】この発明の実施の形態２における電気機器の構成を示す図である。
【図３】この発明の実施の形態３における電気機器の構成を示す図である。
【図４】この発明の実施の形態４における電気機器の構成を示す図である。
【図５】この発明の実施の形態６における電気機器の構成を示す図である。
【図６】この発明の実施の形態７における電気機器の構成を示す図である。
【符号の説明】
【００４５】
１  キー入力回路、２  遅延回路、３  電源装置、４  ラッチ回路、５  マイコン、６  遅延回路、７  電池、８  整流回路、９  電源、１０  電源、１１  アンテナ、１２  他の電気機器、１３  通信モジュール、１４  電圧入力信号。
【図１】
2007304909.tif 000003
【図２】
2007304909.tif 000004
【図３】
2007304909.tif 000005
【図４】
2007304909.tif 000006
【図５】
2007304909.tif 000007
【図６】
2007304909.tif 000008